(57)【要約】【課題】大規模ネットワークインフラの設定変更を効率化するためのセルラー移動通信網局設定集中管理モデル化システムを提供する。【解決手段】セルラー移動通信網局設定集中管理モデル化システム３は、セルラー移動通信網１に管理用ネットワーク２を介して接続され、セルラー移動通信網の各局設定の抽出、投入を集中管理し、セルラー移動通信網各局の設定抽出（Ｓ１）、設定の保存（Ｓ２）、セルラー移動通信網無線制御部モデル化（Ｓ３）、各局の設定値変更（Ｓ４）、各局の設定投入（Ｓ５）を行う各手段を備え、モデル化手段は、記憶部に保存された各局設定から自動的に必要な情報の抽出を行い、相互に関連付けを行いモデル化することにより局設定データから、階層を持つ木構造の高次データとなるセルラー移動通信網無線制御部モデルへと変換する。【選択図】図２
2006080640.tif 000002
【特許請求の範囲】
【請求項１】
セルラー移動通信網にネットワークを介して接続され、前記セルラー移動通信網の各局設定の抽出、投入を集中管理するセルラー移動通信網局設定集中管理モデル化システムであって、
セルラー移動通信網各局の設定抽出、設定の保存、セルラー移動通信網無線制御部モデル化、各局の設定値変更、各局の設定投入を行う各手段を備え、
前記モデル化手段は、記憶部に保存された各局設定から自動的に必要な情報の抽出を行い、相互に関連付けを行いモデル化することにより局設定データから、階層を持つ木構造の高次データとなるセルラー移動通信網無線制御部モデルへと変換することを特徴とするセルラー移動通信網局設定集中管理モデル化システム。
【請求項２】
前記モデル化手段は、セルの情報を各交換局の設定値から抽出するセル情報抽出、
局の種類またはセルによりレイヤーを決定するレイヤー決定、
レイヤー間の包含関係を決定してモデルの木構造化を行うレイヤー間包含関係決定、
接続の枝情報を抽出する枝情報の抽出・決定を行うことを特徴とする請求項１記載のセルラー移動通信網局設定集中管理モデル化システム。
【請求項３】
さらに、網のトラフィック状況を監視することを特徴とする請求項１又は２記載のセルラー移動通信網局設定集中管理モデル化システム。
【請求項４】
セルラー移動通信網の各局設定の抽出、投入をネットワークを介して集中管理するセルラー移動通信網局設定集中管理モデル化方法であって、
セルラー移動通信網各局の設定抽出、設定の保存、セルラー移動通信網無線制御部モデル化、各局の設定値変更、各局の設定投入を行う各ステップを含み、
前記モデル化ステップは、記憶部に保存された各局設定から自動的に必要な情報の抽出を行い、相互に関連付けを行いモデル化することにより局設定データから、階層を持つ木構造の高次データとなるセルラー移動通信網無線制御部モデルへと変換することを特徴とするセルラー移動通信網局設定集中管理モデル化方法。
【請求項５】
前記モデル化ステップは、セルの情報を各交換局の設定値から抽出するセル情報抽出、
局の種類またはセルによりレイヤーを決定するレイヤー決定、
レイヤー間の包含関係を決定してモデルの木構造化を行うレイヤー間包含関係決定、
接続の枝情報を抽出する枝情報の抽出・決定を行うことを特徴とする請求項４記載のセルラー移動通信網局設定集中管理モデル化方法。
【請求項６】
さらに、網のトラフィック状況を監視することを特徴とする請求項４又は５記載のセルラー移動通信網局設定集中管理モデル化方法。
【発明の詳細な説明】
【技術分野】
【０００１】
本発明は、セルラー移動通信網の各局設定の抽出、投入を集中管理するセルラー移動通信網局設定集中管理モデル化システムに関する。
【背景技術】
【０００２】
従来、第三世代携帯電話ネットワークなどの大規模ネットワークインフラの構築、運用、またそれらのネットワークの最適化、拡張に伴いネットワークを構成する局設定変更作業は、大規模ネットワークを運用・管理する通信キャリアにとって必要となる作業である。
【０００３】
また、ＴＣＰ／ＩＰネットワーク環境において、アドレス情報とネットワーク環境情報の設定および再設定を、人が作業することなく自動的かつ一元的に行うことができる自動設定処理方法がある（例えば、特許文献１参照）。
【特許文献１】特開平７−６６８０９号公報
【発明の開示】
【発明が解決しようとする課題】
【０００４】
しかしながら、網を構成する局設定の抽出・保存、設定変更後の局設定のセルラー移動通信網への適応に人手が介入することが問題であった。
【０００５】
また、拡張・最適化を目的としたセルラー移動通信網無線制御部を構成する局の設定値変更を行う際、セルラー移動通信網各局の設定から、セルラー移動通信網を自動的にモデル化する手法は無かった。そのため、セルラー移動通信網のモデル化を行うのに人手が介入していたことが問題であった。
【０００６】
従来は、セルラー移動通信網各局の設定から自動的にセルラー移動通信網無線制御部のモデル化を行う方法が無かったので、セルラー移動通信網の拡張・最適化を目的とした局設定の抽出、設定変更値のセルラー移動通信網へ適応するのに、人がネットワーク機器を直接操作する必要があった。すなわち自動化手段がなかったことが、問題であった。
【０００７】
そこで本発明は、大規模ネットワークインフラの設定変更を効率化するためのセルラー移動通信網局設定集中管理モデル化システム及び方法を提供することを目的とする。
【課題を解決するための手段】
【０００８】
上述の課題を解決するため、本発明は、セルラー移動通信網にネットワークを介して接続され、前記セルラー移動通信網の各局設定の抽出、投入を集中管理するセルラー移動通信網局設定集中管理モデル化システムであって、セルラー移動通信網各局の設定抽出、設定の保存、セルラー移動通信網無線制御部モデル化、各局の設定値変更、各局の設定投入を行う各手段を備え、前記モデル化手段は、記憶部に保存された各局設定から自動的に必要な情報の抽出を行い、相互に関連付けを行いモデル化することにより局設定データから、階層を持つ木構造の高次データとなるセルラー移動通信網無線制御部モデルへと変換することを特徴とする。
【０００９】
さらに前記モデル化手段は、セルの情報を各交換局の設定値から抽出するセル情報抽出、局の種類またはセルによりレイヤーを決定するレイヤー決定、レイヤー間の包含関係を決定してモデルの木構造化を行うレイヤー間包含関係決定、接続の枝情報を抽出する枝情報の抽出・決定を行うことを特徴とする。
【発明の効果】
【００１０】
本発明によれば、管理用ネットワークを介してセルラー移動通信網の各局の設定を一箇所でバックアップおよび、管理することが可能となる。これにより、各局の設定の抽出、変更、変更値の局への適応を一箇所で行うことが可能となる。
【００１１】
また本発明により各局の設定値から、自動的にセルラー移動通信網のモデル化を行うことが出来る。モデル化を自動化することで、セルラー移動通信網の構成を反映したセルラー移動通信網無線制御部モデルの自動的な出力ができる。
【００１２】
さらに局設定の集中管理とセルラー移動通信網のモデル化により、リアルタイムでのセルラー移動通信網の構成を反映したセルラー移動通信網モデルを出力することができる。また、セルラー移動通信網の拡張・最適化時の変更後局設定をセルラー移動通信網へ適応する際に自動で行うことができる。
【００１３】
これらにより、セルラー移動通信網の拡張・最適化による各局設定の変更を短時間で行うことが出来る。また、拡張、最適化を目的とした設定変更計画、設定変更の効率化が可能となる。
【発明を実施するための最良の形態】
【００１４】
次に、本発明の最良の形態について図面を参照して説明する。
【実施例１】
【００１５】
図１は、本発明のシステム構成を示す。セルラー移動通信網局設定集中管理モデル化システム３は、管理用ネットワーク２を介してセルラー移動通信網１に接続され、その集中管理を行い、各局設定の抽出、投入を行う。セルラー移動通信網局設定集中管理システムのサーバ４が、セルラー移動通信網１の各局設定抽出、投入の制御を行う。各局設定は、保存用記憶媒体５にデータとして保存する。また各局設定の抽出及び、投入は各局毎に行うことができ、複数の局に対して同時に行うこともできる。
【００１６】
図２は、セルラー移動通信システム局設定変更手順を示す。セルラー移動通信網局設定集中管理モデル化システム３は、セルラー移動通信網から各局の設定を抽出し（Ｓ１）、その各局設定の保存し（Ｓ２）、セルラー移動通信網各局設定情報の構造化によるモデル化を行い（Ｓ３）、ネットワークの拡張・最適化による各局の設定値変更を行い（Ｓ４）、その設定値の投入を行う（Ｓ５）。
【００１７】
セルラー移動通信網局設定集中管理モデル化システム３において、保存用記憶媒体５に保存された各局設定は下記方法により、自動的に必要な情報の抽出が行われ、相互に関連付けを行いモデル化する。これにより局設定データから、高次データとなるセルラー移動通信網無線制御部モデルへと変換する。
【００１８】
図３において、各局毎の設定は、各局毎の設定を取得して（Ｓ１１）、以下の手順により、セルラー移動通信網モデルの高次データへ変換を行い、セルラー移動通信網モデルを出力する（Ｓ１６）。この高次データへの変換は、セルラー移動通信網を、階層を持つ木構造モデルへ構造化手法を用いて行う。
【００１９】
セルラー移動通信網モデルは、網を構成する各局、およびセルを「ノード」とする。また、各ノード間の関係を「枝」とするモデルである。
【００２０】
セル情報抽出（Ｓ１２）：セルラー移動通信網の構成上、基地局よりレイヤーの１位分下位に位置付けることのできるセルの情報を各交換局の設定値から抽出する。（無線制御部の交換局は、下位に対応するセル情報及び基地局情報を局設定値として持つ）この手順により、モデルのノードとなる各局およびセルが抽出される。
【００２１】
レイヤー決定（Ｓ１３）：局の種類またはセルによりレイヤーを決定する。目的とするセルラー移動通信無線制御部網モデルは、局の種類またはセルによりレイヤーが決められている。そのため、局の種類またはセルであることが決定すると、レイヤーは決定される。レイヤーの順位は下位から上位に向かって、「セル」、「基地局」、「交換局」、「上位交換局」となる。
【００２２】
レイヤー間包含関係決定（Ｓ１４）：セルのレイヤー決定（Ｓ１２）後、１位上位となるレイヤーのどの局に接続されているかを決定する。これにより、レイヤー間の包含関係が決定されモデルの木構造化を行う。
【００２３】
枝情報の抽出・決定（Ｓ１５）：ここまでの手順により、１位レイヤー上下関係にある、各局又はセル間の接続関係が、明確になる。各局又はセル間接続を表す木構造の枝部分に対応する、セルラー移動通信網無線制御部の回線情報も抽出する。その際、下位レイヤー局側が木構造の枝情報となる回線情報を持つこととする。次に、同一レイヤー間の接続の枝情報を抽出する。
【００２４】
上記手順により、レイヤー、レイヤー間包含関係、レイヤー間接続関係、同一レイヤー間接続関係を持つセルラー移動通信網無線制御部モデルへと自動的に変換する。
【００２５】
図４は、セルラー移動通信網無線制御部モデルのレイヤー構造を示す。以上の手順により、各局設定値から、各局（セル）の相互の関係を表すセルラー移動通信網無線制御部のモデルへと変換する。各局設定値データからセルラー移動通信網無線制御部をモデル化した高次データへと変換する。モデルに変換されたセルラー移動通信網の各局設定は、グラフィカル出力され、セルラー移動通信網拡張・最適化による各局設定の変更時に利用する。
【００２６】
以上、本発明では、セルラー移動通信網を構成する複数局の設定を自動的に抽出し、セルラー移動通信網局設定集中管理モデル化システムにおいて一ヶ所で保存する。また、保存された各局の設定をセルラー移動通信網へ、自動的に適応を行うことを特徴としている。図１において、セルラー移動通信網１の各局の設定を管理用ネットワーク２を通して、セルラー移動通信網局設定集中管理モデル化システム３へ保存する。また逆に、保存された局設定を管理用ネットワーク２を通して、セルラー移動通信網１の各局へ適応する。
【００２７】
また、保存されたセルラー移動通信網無線制御部の各局設定から、必要な情報を抽出し相互に関連付けを行うことで、セルラー移動通信網のモデル化を行う。セルラー移動通信網局設定集中管理モデル化システムの保存記憶媒体５にデータとして保存された各局の設定は、サーバ４により必要な情報の抽出が行われ、相互に関連付けを行いモデル化される。セルラー移動通信網の構成を反映した、セルラー移動通信網モデルへと自動的に変換する。
【００２８】
得られたセルラー移動通信網無線制御部のモデルを出力装置６に出力を行う。このモデル化されたセルラー移動通信網を扱うことにより、
（１）各局の設定値の保存
（２）ネットワークの拡張、最適化を目的としたセルラー移動通信網の局設定変更
（３）変更後局設定値のセルラー移動通信網への適応
を行うことができる。
【実施例２】
【００２９】
図５は、通信キャリアのセルラー移動通信網管理・監視センター（ネットワークセンター）８において、網管理・監視システム７と共にセルラー移動通信網局設定集中管理モデル化システム３を利用する実施例である。本実施例では、セルラー移動通信網局設定集中管理モデル化システム３は、セルラー移動通信網を運用する通信キャリアが利用する。
【００３０】
図５において、通信キャリアのセルラー移動通信網管理・監視センター８内の網管理・監視システム７の用いる管理用ネットワーク２を利用して、セルラー移動通信網局設定集中管理モデル化システム３が設置される。新たに管理用ネットワークを設けるのではなく、網管理・監視システム７とセルラー移動通信網局設定集中管理モデル化システム３とで管理用ネットワーク２を共有する。
【００３１】
次に、通信キャリアのセルラー移動通信網管理・監視センター８内で、セルラー移動通信網局設定集中管理モデル化システム３を利用する手順を以下に示す。
【００３２】
図６は、通信キャリアのセルラー移動通信網管理・監視センター８で行う手順を示す。セルラー移動通信網から各局の設定を抽出し（Ｓ１）、その各局設定の保存し（Ｓ２）、セルラー移動通信網各局設定情報の構造化によるモデル化を行い（Ｓ３）、ネットワークの拡張・最適化による各局の設定値変更を行い（Ｓ４）、その設定値の投入を行う（Ｓ５）と共に、トラフィック増加に伴う網拡張の計画（Ｓ６）、網のトラフィック状況の監視（Ｓ７）、ネットワークの拡張・最適化を目的とするシミュレーション（Ｓ８）を行い、局設定の変更（Ｓ４）へ適応する。従来は無かったセルラー移動通信網の自動的なモデル化とあわせて、網拡張の計画（Ｓ６）、トラフィック状況の監視（Ｓ７）、網シミュレーション（Ｓ８）を行う。
【００３３】
本実施例では、自動的にモデル化したセルラー移動通信網無線制御部モデルを、ネットワークのシミュレーション対象として利用する。
【００３４】
また、通信キャリアのセルラー移動通信網管理・監視センターに、本発明のセルラー移動通信網局設定集中管理モデル化システムを設置することによって、ネットワークのトラフィック監視との統合化を行う。
【図面の簡単な説明】
【００３５】
【図１】本発明のシステム構成図である。
【図２】本発明による局設定変更手順を示す図である。
【図３】本発明による無線制御部モデル化方法を示す図である。
【図４】本発明による無線制御部モデルのレイヤー構造を示す図である。
【図５】本発明による他のシステム構成図である。
【図６】本発明による他の局設定変更手順を示す図である。
【符号の説明】
【００３６】
１  セルラー移動通信網
２  管理用ネットワーク
３  セルラー移動通信網局設定集中管理モデル化システム
４  サーバ
５  保存記憶媒体
６  出力装置
【図１】
2006080640.tif 000003
【図２】
2006080640.tif 000004
【図３】
2006080640.tif 000005
【図４】
2006080640.tif 000006
【図５】
2006080640.tif 000007
【図６】
2006080640.tif 000008